(57)【要約】【課題】効率的にカバーを取り付けることができ、従来に比べ製品コストを低減することができる照明装置を提供する。【解決手段】正面から光を照射する照明部３１と、照明部３１の背面に取り付けられる取付部３２と、当該取付部３２から立ち上がり、間隔を置いて配置された複数の放熱フィン３３Ａ〜３３Ｌとを含むヒートシンク３４と、複数の放熱フィン３３Ａ〜３３Ｌを覆う放熱カバー３５とを備え、放熱フィン３３Ａ及び放熱フィン３３Ｌには、それぞれフック部３３ＡＦ及びフック部３３ＬＦが形成され、放熱カバー３５の両端には、当該放熱カバー３５をスライドさせることで放熱フィン３３Ａのフック部３３ＡＦ及び放熱フィン３３Ｌのフック部３３ＬＦにそれぞれ係わり合うフック部３５Ｆ１及びフック部３５Ｆ２が形成され、放熱フィン３３Ｂ及び放熱フィン３３Ｌは、取付部３２の側から放熱カバー３５に突き当たる。【選択図】図３
2014175184.tif 000002
【特許請求の範囲】
【請求項１】
正面から光を照射する照明部と、
前記照明部の背面に取り付けられる取付部と、当該取付部から立ち上がり、間隔を置いて配置された複数の放熱フィンとを含むヒートシンクと、
前記複数の放熱フィンを覆うカバーとを備え、
前記カバーには複数の排気孔が形成されている
照明装置。
【請求項２】
各排気孔の最大幅は、隣接する放熱フィン間の幅よりも狭い
請求項１に記載の照明装置。
【請求項３】
前記複数の排気孔は、千鳥状に配列されている
請求項１又は２に記載の照明装置。
【請求項４】
前記複数の放熱フィンのうちの第１放熱フィン及び第２放熱フィンには、それぞれフック部が形成され、
前記カバーの両端には、前記第１放熱フィンのフック部及び前記第２放熱フィンのフック部にそれぞれ係わり合うフック部が形成されている
請求項１〜３のいずれか１項に記載の照明装置。
【請求項５】
前記複数の放熱フィンのうちの第３放熱フィン及び第４放熱フィンは、前記取付部の側から前記カバーに突き当たる
請求項４に記載の照明装置。
【請求項６】
前記第３放熱フィンは、前記第１放熱フィンに隣接する位置に配置され、
前記第３放熱フィンの先端部が、前記取付部の側から前記カバーに突き当たり、
前記第４放熱フィンは、前記第２放熱フィンに隣接する位置に配置され、
前記第４放熱フィンの先端部が、前記取付部の側から前記カバーに突き当たる
請求項５に記載の照明装置。
【請求項７】
前記第１放熱フィンと前記第３放熱フィンとは、同一の放熱フィンであり、
前記第１放熱フィンは、前記取付部の側から前記カバーに突き当たるリブ部を有する
請求項５に記載の照明装置。
【請求項８】
前記第２放熱フィンと前記第４放熱フィンとは、同一の放熱フィンであり、
前記第２放熱フィンは、前記取付部の側から前記カバーに突き当たるリブ部を有する
請求項５又は７に記載の照明装置。
【請求項９】
前記複数の放熱フィンのうちの、前記第１放熱フィン、前記第２放熱フィン、前記第３放熱フィン及び前記第４放熱フィンとは異なる第５放熱フィンは、前記取付部の側から前記カバーに突き当たる
請求項５〜７のいずれか１項に記載の照明装置。
【請求項１０】
前記第５放熱フィンは、前記第３放熱フィン及び前記第４放熱フィンの間に配置され、前記第３放熱フィン及び前記第４放熱フィンよりも高さが高い
請求項９に記載の照明装置。
【請求項１１】
前記複数の放熱フィンのうちのいずれかの放熱フィンの先端部と前記カバーとの間に間隙を有する
請求項５〜１０のいずれか１項に記載の照明装置。
【請求項１２】
前記カバーは、前記取付部から遠ざかる方向に湾曲させた状態で、前記複数の放熱フィンを覆う
請求項４に記載の照明装置。
【請求項１３】
前記複数の放熱フィンのうちの第１放熱フィン及び第２放熱フィンと前記カバーとは、締結部材により締結されている
請求項１〜３のいずれか１項に記載の照明装置。
【請求項１４】
放熱の対象部材に取り付けられる取付部と、当該取付部から立ち上がり、間隔を置いて配置された複数の放熱フィンとを含むヒートシンクと、
前記複数の放熱フィンを覆うカバーとを備え、
前記カバーには複数の排気孔が形成されている
放熱装置。
【発明の詳細な説明】
【技術分野】
【０００１】
本発明は、照明装置及び対象部材の熱を放熱する放熱装置に関する。
【背景技術】
【０００２】
従来、トンネル内の照明装置などに代表される照明装置には照明部からの熱を放熱するためにヒートシンクなどの放熱装置が取り付けられている（たとえば、特許文献１参照）。放熱装置には外部から塵や埃が放熱装置の内部に流入するのを防ぐためにカバーが取り付けられることがあるが、このようなカバーは、ビスなどの固定部材によりヒートシンクに取り付けられるのが一般的である。
【先行技術文献】
【特許文献】
【０００３】
【特許文献１】特開平８−１９５４５３号公報
【発明の概要】
【発明が解決しようとする課題】
【０００４】
しかしながら、特許文献１に記載のカバーは、ヒートシンク上面を覆うように取り付けられるため、放熱効率が悪いという課題がある。
【０００５】
本発明は上述の課題を解決するためになされたものであり、放熱効率の高い照明装置及び放熱装置を提供することを目的とする。
【課題を解決するための手段】
【０００６】
上記目的を達成するために、本発明の一態様に係る照明装置は、正面から光を照射する照明部と、前記照明部の背面に取り付けられる取付部と、当該取付部から立ち上がり、間隔を置いて配置された複数の放熱フィンとを含むヒートシンクと、前記複数の放熱フィンを覆うカバーとを備え、前記カバーには複数の排気孔が形成されている。
【０００７】
これによると、ヒートシンクからの熱を排気孔を介して外部に放出することができる。このため、放熱効率の高い照明装置を提供することができる。
【０００８】
また、各排気孔の最大幅は、隣接する放熱フィン間の幅よりも狭くてもよい。
【０００９】
これによると、カバーの排気孔から塵や埃がヒートシンクの内部に流入したとしても、放熱フィン間が目詰まりしてしまうほどの大きさの塵や埃は流入しない。このため、カバーを外して水を流す等するだけで、ヒートシンクの埃を除去することができ、照明装置のメンテナンス性が向上する。
【００１０】
また、前記複数の排気孔は、千鳥状に配列されていてもよい。
【００１１】
これによると、２次元状に排気孔を配列する場合に比べ、排気孔の断面積を確保することができる。また、カバーの面内の様々な方向の力の曲げにも強くなる。
【００１２】
また、前記複数の放熱フィンのうちの第１放熱フィン及び第２放熱フィンには、それぞれフック部が形成され、前記カバーの両端には、前記第１放熱フィンのフック部及び前記第２放熱フィンのフック部にそれぞれ係わり合うフック部が形成されていてもよい。
【００１３】
これによると、カバーをスライドさせることで、第１放熱フィン及び第２放熱フィンのフック部と、カバーのフック部とが係わり合い、カバーとヒートシンクとが固定される。また、カバーを撓ませながら第１放熱フィン及び第２放熱フィンのフック部と、カバーのフック部とが係わり合わせることによっても、カバーとヒートシンクとが固定される。このため、ビスなどの固定部材を必要とせずにカバーをヒートシンクに取り付けることができる。よって、効率的にカバーを取り付けることができ、従来に比べ照明装置の製品コストを低減することができる。
【００１４】
また、前記複数の放熱フィンのうちの第３放熱フィン及び第４放熱フィンは、前記取付部の側から前記カバーに突き当たっていてもよい。
【００１５】
これによると、第３放熱フィン及び第４放熱フィンがカバーに突き当たることで、カバーが落下することなくカバーとヒートシンクとが固定される。このため、ビスなどの固定部材を必要とせずにカバーをスライドさせるだけでヒートシンクに取り付けることができる。よって、効率的にカバーを取り付けることができ、従来に比べ照明装置の製品コストを低減することができる。
【００１６】
例えば、前記第３放熱フィンは、前記第１放熱フィンに隣接する位置に配置され、前記第３放熱フィンの先端部が、前記取付部の側から前記カバーに突き当たり、前記第４放熱フィンは、前記第２放熱フィンに隣接する位置に配置され、前記第４放熱フィンの先端部が、前記取付部の側から前記カバーに突き当たっていてもよい。
【００１７】
これによると、フック部同士が係わり合う近傍で第３放熱フィン及び第４放熱フィンがカバーに突き当たるため、フック部同士が係わり合う力を強力にすることができ、カバーがヒートシンクから外れにくくすることができる。
【００１８】
また、前記第１放熱フィンと前記第３放熱フィンとは、同一の放熱フィンであり、前記第１放熱フィンは、前記取付部の側から前記カバーに突き当たるリブ部を有していてもよい。
【００１９】
これによると、第１放熱フィンでカバーとの係わり合いとカバーへの突き当てを行うことができる。これにより、フック部同士が係わり合う力を強力にすることができ、カバーがヒートシンクから外れにくくすることができる。
【００２０】
また、前記第２放熱フィンと前記第４放熱フィンとは、同一の放熱フィンであり、前記第２放熱フィンは、前記取付部の側から前記カバーに突き当たるリブ部を有していてもよい。
【００２１】
これによると、第２放熱フィンでカバーとの係わり合いとカバーへの突き当てを行うことができる。これにより、フック部同士が係わり合う力を強力にすることができ、カバーがヒートシンクから外れにくくすることができる。
【００２２】
また、前記複数の放熱フィンのうちの、前記第１放熱フィン、前記第２放熱フィン、前記第３放熱フィン及び前記第４放熱フィンとは異なる第５放熱フィンは、前記取付部の側から前記カバーに突き当たっていてもよい。
【００２３】
これによると、カバーの変形を防ぎ、カバーがヒートシンクから外れにくくすることができる。
【００２４】
また、前記第５放熱フィンは、前記第３放熱フィン及び前記第４放熱フィンの間に配置され、前記第３放熱フィン及び前記第４放熱フィンよりも高さが高くてもよい。
【００２５】
これによると、カバーが撓む。このため、カバーが元の形状に戻ろうとするバネ性の力がカバーのフック部に働く。これにより、フック部同士が係わり合う力を強力にすることができ、カバーがヒートシンクから外れにくくすることができる。
【００２６】
また、前記複数の放熱フィンのうちのいずれかの放熱フィンの先端部と前記カバーとの間に間隙を有してもよい。
【００２７】
これによると、間隙が空気の通り道となるため、放熱性を向上させることができる。
【００２８】
また、前記カバーは、前記取付部から遠ざかる方向に湾曲させた状態で、前記複数の放熱フィンを覆ってもよい。
【００２９】
これによると、カバーが元の形状に戻ろうとするバネ性の力がカバーのフック部に働く。これにより、フック部同士が係わり合う力を強力にすることができ、カバーがヒートシンクから外れにくくすることができる。
【００３０】
また、前記複数の放熱フィンのうちの第１放熱フィン及び第２放熱フィンと前記カバーとは、締結部材により締結されていてもよい。
【００３１】
本発明の他の一態様に係る放熱装置は、放熱の対象部材に取り付けられる取付部と、当該取付部から立ち上がり、間隔を置いて配置された複数の放熱フィンとを含むヒートシンクと、前記複数の放熱フィンを覆うカバーとを備え、前記カバーには複数の排気孔が形成されている。
【００３２】
これによると、ヒートシンクからの熱を排気孔を介して外部に放出することができる。このため、放熱効率の高い放熱装置を提供することができる。
【発明の効果】
【００３３】
本発明によると、放熱効率の高い照明装置及び放熱装置を提供することができる。
【図面の簡単な説明】
【００３４】
【図１】実施の形態１に係る照明装置の正面側を示す図である。
【図２】実施の形態１に係る照明装置の背面側を示す斜視図である。
【図３】実施の形態１に係る照明モジュールの斜視図である。
【図４】実施の形態１に係る放熱装置の上面図である。
【図５】実施の形態１に係る放熱装置の正面図である。
【図６】放熱カバーをスライドさせた状態の照明モジュールの斜視図である。
【図７】実施の形態２に係る照明モジュールの斜視図である。
【図８】実施の形態２に係る放熱装置の正面図である。
【図９】実施の形態３に係る照明モジュールの斜視図である。
【図１０】実施の形態３に係る放熱装置の正面図である。
【図１１】照明モジュールの斜視図である。
【図１２】放熱装置の正面図である。
【図１３】照明モジュールの斜視図である。
【図１４】放熱装置の正面図である。
【発明を実施するための形態】
【００３５】
以下、実施の形態に係る照明装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３６】
（実施の形態１）
［照明装置の全体構成］
まず、図１及び図２を参照しながら、実施の形態１に係る照明装置の全体構成について説明する。図１は、実施の形態１に係る照明装置の正面側を示す図である。図２は、実施の形態１に係る照明装置の背面側を示す斜視図である。
【００３７】
図１及び図２に示すように、照明装置２は、枠体４及び複数（本実施の形態では４個）の照明モジュール６を備えている。本実施の形態の照明装置２は、例えば、トンネル内を照明するための照明装置である。
【００３８】
枠体４は、複数の照明モジュール６を支持するためのものである。枠体４は、４個の枠部材４ａ〜４ｄが略矩形状に組み合わされることにより構成されている。一対の枠部材４ａ，４ｂは、所定方向（すなわち、図１における上下方向）に相互に対向して配置されている。一対の枠部材４ｃ，４ｄは、上記所定方向に対して略直交する方向（すなわち、図１における左右方向）に相互に対向して配置されている。４個の枠部材４ａ〜４ｄはそれぞれ、例えばアルミニウム等で形成されている。
【００３９】
枠部材４ａには、照明装置２の背面側に向けて延びる支持アーム８が取り付けられている。支持アーム８には、複数の照明モジュール６の各々に点灯電力を供給するための電源装置１０が支持されている。さらに、一対の枠部材４ｃ，４ｄには、照明装置２の背面側に向けて延びる取付ハンドル１２が取り付けられている。取付ハンドル１２には、ボルト（図示せず）を挿入するための一対の貫通孔１４が設けられている。ボルトが取付ハンドル１２の一対の貫通孔１４の各々を通してトンネル内の壁面等に締結されることにより、照明装置２がトンネル内の壁面等に取り付けられる。
【００４０】
複数の照明モジュール６の各々は、照明装置２の外部（例えばトンネル内）に向けて光を照射するためのものである。複数の照明モジュール６は、枠体４の内側に、例えば２行２列に並んで配置されている。
【００４１】
［照明モジュールの構成］
図３は、図２に示した照明モジュールの斜視図である。図４は、放熱装置の上面図である。図５は、放熱装置の正面図である。図６は、放熱カバーをスライドさせた状態の照明モジュールの斜視図である。以下、これらの図面を参照して、照明モジュールの構成を説明する。
【００４２】
照明モジュール６は、照明部３１と、放熱装置７とを備える。
【００４３】
照明部３１は、照明装置２の外部（例えばトンネル内）に向けて正面から光を照射する。つまり、照明部３１の正面には、図１に示すように複数のＬＥＤ（Ｌｉｇｈｔ  Ｅｍｉｔｔｉｎｇ  Ｄｉｏｄｅ）１６と、複数のＬＥＤ１６に対応して、複数のレンズ部５４とが設けられている。
【００４４】
放熱装置７は、ヒートシンク３４と、放熱カバー（カバーを構成する）３５とを備える。
【００４５】
ヒートシンク３４は、アルミニウムやステンレスなどの金属製であり、照明部３１から発生する熱を空気中に放熱する。ヒートシンク３４は、照明部３１の背面に取り付けられる取付部３２と、当該取付部３２から立ち上がり、間隔を置いて配置された複数の放熱フィン３３Ａ〜３３Ｌとを含む。
【００４６】
放熱カバー３５は、ヒートシンク３４の内部に塵や埃の流入を防ぐため、複数の放熱フィン３３Ａ〜３３Ｌを覆うように、放熱カバー３５に取り付けられる。
【００４７】
放熱フィン３３Ａ及び放熱フィン３３Ｌには、それぞれ先端部にフック部３３ＡＦ及び３３ＬＦがそれぞれ形成されている。
【００４８】
放熱カバー３５の両端には、放熱カバー３５をスライドさせることで放熱フィン３３Ａのフック部３３ＡＦ及び放熱フィン３３Ｌのフック部３３ＬＦにそれぞれ係わり合うフック部３５Ｆ１及び３５Ｆ２が形成されている。例えば、図６に示す状態から図３に示す状態に放熱カバー３５をスライドさせることで、放熱カバー３５をヒートシンク３４に取り付けることができる。
【００４９】
放熱フィン３３Ｂ及び放熱フィン３３Ｋは、取付部３２の側から放熱カバー３５に突き当たる。放熱フィン３３Ｂ及び放熱フィン３３Ｋは、放熱フィン３３Ａ及び放熱フィン３３Ｌにそれぞれ隣接していることより、ヒートシンク３４と放熱カバー３５のフック部同士が係わり合う力を強力にすることができ、放熱カバー３５がヒートシンク３４から外れにくくすることができる。
【００５０】
放熱フィン３３Ｆ及び３３Ｇは、取付部３２の側から放熱カバー３５に突き当たる。なお、放熱フィン３３Ｆ及び３３Ｇは、放熱フィン３３Ｂ及び放熱フィン３３Ｋの間に配置され、放熱フィン３３Ｂ及び放熱フィン３３Ｋよりも高さが高い。放熱フィン間で高さが異なることより、図５に示すように放熱カバー３５が撓む。このため、放熱カバー３５が元の形状に戻ろうとするバネ性の力が放熱カバー３５のフック部３５Ｆ１及び３５Ｆ２に働く。これにより、ヒートシンク３４と放熱カバー３５のフック部同士が係わり合う力を強力にすることができ、放熱カバーがヒートシンクから外れにくくすることができる。
【００５１】
放熱フィン３３Ｃ〜３３Ｅ及び３３Ｈ〜３３Ｊは、放熱フィン３３Ａ、３３Ｂ、３３Ｆ、３３Ｇ、３３Ｋ及び３３Ｌよりも高さが低い。このため、放熱フィン３３Ｃ〜３３Ｅ及び３３Ｈ〜３３Ｊの先端部と放熱カバー３５との間に間隙を有する。これによると、間隙が空気の通り道となるため、放熱性を向上させることができる。
【００５２】
放熱カバー３５には複数の排気孔３５Ｈが形成される。各排気孔３５Ｈの最大幅Ｗ１は、隣接する放熱フィン間の幅Ｗ２よりも狭い。例えば、Ｗ１＝３．５ｍｍ、Ｗ２＝４．５ｍｍである。Ｗ１＜Ｗ２とすることにより、放熱カバー３５の排気孔３５Ｈから塵や埃がヒートシンク３４の内部に流入したとしても、放熱フィン間が目詰まりしてしまうほどの大きさの塵や埃は流入しない。このため、放熱カバー３５を外して水を流す等するだけで、ヒートシンク３４の埃を除去することができ、照明装置２のメンテナンス性が向上する。
【００５３】
また、複数の排気孔３５Ｈは、千鳥状に配列されている。これによると、２次元状に排気孔３５Ｈを配列する場合に比べ、排気孔３５Ｈの断面積を確保することができる。また、放熱カバー３５の面内の様々な方向の力の曲げにも強くなる。
【００５４】
以上説明したように、実施の形態１に係る照明装置２によると、ヒートシンク３４からの熱を排気孔３５Ｈを介して外部に放出することができる。このため、放熱効率の高い照明装置２を提供することができる。また、放熱カバー３５をスライドさせることで、放熱フィン３３Ａのフック部３３ＡＦと放熱カバー３５のフック部３５Ｆ１とが係わり合い、放熱フィン３３Ｌのフック部３３ＬＦと放熱カバー３５のフック部３５Ｆ２とが係わり合う。それとともに、放熱フィン３３Ｂ及び放熱フィン３３Ｋが放熱カバー３５に突き当たることで、放熱カバー３５が落下することなく放熱カバー３５とヒートシンク３４とが固定される。このため、ビスなどの固定部材を必要とせずに放熱カバー３５をスライドさせるだけでヒートシンク３４に取り付けることができる。よって、効率的に放熱カバー３５を取り付けることができ、従来に比べ照明装置２の製品コストを低減することができる。
【００５５】
なお、放熱カバー３５をスライドさせながらヒートシンク３４に取り付けるのではなく、放熱カバー３５を撓ませながら放熱フィン３３Ａのフック部３３ＡＦと放熱カバー３５のフック部３５Ｆ１とが係わり合わせ、放熱フィン３３Ｌのフック部３３ＬＦと放熱カバー３５のフック部３５Ｆ２とを係わり合わせてもよい。このような方法によっても、放熱カバー３５とヒートシンク３４とが固定される。
【００５６】
（実施の形態２）
実施の形態２に係る照明装置の全体構成は、図１及び図２に示した実施の形態１に係る照明装置２の全体構成を同じである。実施の形態２では、照明モジュールの構成の構成が実施の形態１と異なる。このため、以下では、照明モジュールの構成について説明する。以下の説明では、実施の形態１と同じ構成部材については同じ参照符号を付す。その機能及び名称も同じであるため、詳細な説明は繰り返さない。
【００５７】
［照明モジュールの構成］
図７は、照明モジュールの斜視図である。図８は、放熱装置の正面図である。
【００５８】
照明モジュール１８は、照明部３１と、放熱装置１７とを備える。
【００５９】
放熱装置１７は、ヒートシンク４４と、放熱カバー３５とを備える。
【００６０】
ヒートシンク４４は、アルミニウムやステンレスなどの金属製であり、照明部３１から発生する熱を空気中に放熱する。ヒートシンク４４は、照明部３１の背面に取り付けられる取付部３２と、当該取付部３２から立ち上がり、間隔を置いて配置された複数の放熱フィン４３Ａ、３３Ｂ〜３３Ｋ及び４３Ｌとを含む。
【００６１】
放熱フィン４３Ａ及び放熱フィン４３Ｌには、実施の形態１に示した放熱フィン３３Ａ及び放熱フィン３３Ｌと同様のフック部４３ＡＦ及びフック部４３ＬＦがそれぞれ形成されている。なお、放熱カバー３５をスライドさせることで放熱カバー３５のフック部３５Ｆ１及び３５Ｆ２が、放熱フィン４３Ａのフック部４３ＡＦ及び放熱フィン４３Ｌのフック部４３ＬＦにそれぞれ係わり合う。よって、放熱カバー３５をスライドさせることで、放熱カバー３５をヒートシンク４４に取り付けることができる。
【００６２】
放熱フィン４３Ａには、さらに、取付部３２の側から放熱カバー３５に突き当たるリブ部４３ＡＲが形成されている。また、放熱フィン４３Ｌには、さらに、取付部３２の側から放熱カバー３５に突き当たるリブ部４３ＬＲが形成されている。
【００６３】
以上説明したように、実施の形態２に係る照明装置によると、ヒートシンク３４からの熱を排気孔３５Ｈを介して外部に放出することができる。このため、放熱効率の高い照明装置２を提供することができる。また、放熱カバー３５をスライドさせることで、放熱フィン４３Ａのフック部４３ＡＦと放熱カバー３５のフック部３５Ｆ１とが係わり合い、放熱フィン４３Ｌのフック部４３ＬＦと放熱カバー３５のフック部３５Ｆ２とが係わり合う。それとともに、リブ部４３ＡＲ及びリブ部４３ＬＲが放熱カバー３５に突き当たることで、放熱カバー３５が落下することなく放熱カバー３５とヒートシンク４４とが固定される。このため、ビスなどの固定部材を必要とせずに放熱カバー３５をスライドさせるだけでヒートシンク４４に取り付けることができる。よって、効率的に放熱カバー３５を取り付けることができ、従来に比べ照明装置の製品コストを低減することができる。
【００６４】
（実施の形態３）
実施の形態１及び２では、放熱カバーをフックによりヒートシンクに取り付けていた。本実施の形態では、放熱カバーをビスでヒートシンクに取り付ける点が異なる。
【００６５】
図９は、実施の形態３に係る照明モジュールの斜視図である。図１０は、実施の形態３に係る放熱装置の正面図である。
【００６６】
照明モジュール３６は、照明部３１と、放熱装置３７とを備える。
【００６７】
放熱装置３７は、ヒートシンク６４と、放熱カバー３８とを備える。
【００６８】
ヒートシンク６４は、図３及び図５に示したヒートシンク３４と同様の構成を備え、放熱カバー３８は、図３及び図４に示した放熱カバー３５と同様の構成を有する。ただし、放熱カバー３５がフックによりヒートシンク３４に取り付けられていたのに対し、放熱カバー３８がビス１０１により放熱カバー３８に取り付けられる点が異なる。
【００６９】
このため、放熱カバー３８のコーナー部３８Ｃには、ビス１０１の取り付け孔が設けられ、フィン部３３Ａ及びフィン部３３Ｌは、取り付け孔に向けて折り曲げられ、折り曲げ部分にビス１０１の取り付け孔が設けられている。これにより、放熱カバー３８がビス１０１により放熱カバー３８に取り付けられる。
【００７０】
なお、放熱フィン３３Ｂ、３３Ｆ、３３Ｇ及び３３Ｋの高さは、他の放熱フィンと同じ高さとして、放熱カバー３８に接触しないようにしてもよい。また、放熱フィン３３Ｂ、３３Ｆ、３３Ｇ及び３３Ｋの高さを、放熱カバー３８に接触する位置（破線で示す位置）まで延長してもよい。
【００７１】
以上、本発明の照明装置について、実施の形態に基づいて説明したが、本発明は、これらの実施の形態に限定されるものではない。本発明の趣旨を逸脱しない限り、当業者が思いつく各種変形を各実施の形態に施したものや、互いに異なる実施の形態における構成要素を組み合わせて構築される形態も、本発明の範囲内に含まれる。
【００７２】
例えば、図１１及び図１２に示すように、図３及び図５に示したヒートシンク３４において、放熱フィン３３Ｂ〜３３Ｋを放熱カバー３５に接触しないようにしてもよい。このとき、放熱カバー３５を取付部３２から遠ざかる方向に湾曲させた状態で、放熱フィン３３Ｂ〜３３Ｋを覆うように、ヒートシンクに取り付ける。これにより、放熱カバー３５が元の形状（平板状）に戻ろうとするバネ性の力がフック部に働く。これにより、フック部同士が係わり合う力を強力にすることができ、カバーがヒートシンクから外れにくくすることができる。なお、図１３及び図１４に示すように、図７及び図８に示したヒートシンク３４においても、同様の構成により、放熱フィン３３Ｂ〜３３Ｋを放熱カバー３５に接触しないようにしてもよい。
【産業上の利用可能性】
【００７３】
本発明は、例えば、トンネル内を照明するための照明装置などに適用することができる。
【符号の説明】
【００７４】
２  照明装置
４  枠体
４ａ〜４ｄ  枠部材
６、１８、３６  照明モジュール
７、１７、３７  放熱装置
８  支持アーム
１０  電源装置
１２  取付ハンドル
１４  貫通孔
１６  ＬＥＤ
３１  照明部
３２  取付部
３３Ａ〜３３Ｌ、４３Ａ、４３Ｌ  放熱フィン
３３ＡＦ、３３ＬＦ、３５Ｆ１、３５Ｆ２、４３ＡＦ、４３ＬＦ  フック部
３４、４４、６４  ヒートシンク
３５、３８  放熱カバー
３５Ｈ  排気孔
３８Ｃ  コーナー部
４３ＡＲ、４３ＬＲ  リブ部
５４  レンズ部
【図１】
2014175184.tif 000003
【図２】
2014175184.tif 000004
【図３】
2014175184.tif 000005
【図４】
2014175184.tif 000006
【図５】
2014175184.tif 000007
【図６】
2014175184.tif 000008
【図７】
2014175184.tif 000009
【図８】
2014175184.tif 000010
【図９】
2014175184.tif 000011
【図１０】
2014175184.tif 000012
【図１１】
2014175184.tif 000013
【図１２】
2014175184.tif 000014
【図１３】
2014175184.tif 000015
【図１４】
2014175184.tif 000016